【手続補正書】
【提出日】平成18年7月3日(2006.7.3)
【手続補正１】
【補正対象書類名】明細書
【補正対象項目名】発明の名称
【補正方法】変更
【補正の内容】
【発明の名称】圧電振動片の接合方法および圧電デバイスとその製造方法ならびに圧電デバイスを有する電子機器
【手続補正２】
【補正対象書類名】明細書
【補正対象項目名】特許請求の範囲
【補正方法】変更
【補正の内容】
【特許請求の範囲】
【請求項１】  基板に設けられた電極部に対して、圧電振動片に設けられた第１、第２の接続電極部をそれぞれ導電性接着剤を介して接合する接合方法であって、
前記導電性接着剤を、前記圧電振動片に設けられた前記第１、第２の接続電極部が配置されている配置方向と交叉する方向に沿って、複数箇所に塗布し、前記第１、第２の接続電極部に接続する前記導電性接着剤をそれぞれ、前記配置方向の長さをその交叉する方向の長さより短く形成し、
前記導電性接着剤を介して、前記基板と前記圧電振動片とを接合することを特徴とする、圧電振動片の接合方法。
【請求項２】  基板に設けられた電極部に対して、圧電振動片に設けられた第１、第２の接続電極部をそれぞれ導電性接着剤を介して接合する接合方法であって、
前記導電性接着剤を、前記圧電振動片に設けられた前記第１、第２の接続電極部が配置されている配置方向と交叉する方向に沿って、引き延ばすようにして塗布し、前記第１、第２の接続電極部に接続する前記導電性接着剤をそれぞれ、前記配置方向の長さをその交叉する方向の長さより短く形成し、
前記導電性接着剤を介して、前記基板と前記圧電振動片とを接合することを特徴とする、圧電振動片の接合方法。
【請求項３】  圧電振動片を収容するためのパッケージの基板に設けられた電極部に対して、導電性接着剤を塗布する塗布工程と、
前記塗布された導電性接着剤に、前記圧電振動片に設けられた第１、第２の接続電極部を接合する接合工程と、
前記パッケージを気密に封止する工程と
を含んでおり、
前記塗布工程においては、前記基板に設けられた各電極部に対して、前記導電性接着剤を、前記圧電振動片に設けられた前記第１、第２の接続電極部が配置されている配置方向と交叉する方向に沿って、複数箇所に塗布し、前記第１、第２の接続電極部に接続する前記導電性接着剤をそれぞれ、前記配置方向の長さをその交叉する方向の長さより短く形成する
ことを特徴とする、圧電デバイスの製造方法。
【請求項４】  圧電振動片を収容するためのパッケージの基板に設けられた電極部に対して、導電性接着剤を塗布する塗布工程と、
前記塗布された導電性接着剤に、前記圧電振動片に設けられた第１、第２の接続電極部を接合する接合工程と、
前記パッケージを気密に封止する工程と
を含んでおり、
前記塗布工程においては、前記基板に設けられた各電極部に対して、前記導電性接着剤を、前記圧電振動片に設けられた前記第１、第２の接続電極部が配置されている配置方向と交叉する方向に沿って、引き延ばすようにして塗布する
ことを特徴とする、圧電デバイスの製造方法。
【請求項５】  絶縁材料で形成された基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスであって、
前記導電性接着剤が、前記圧電振動片に設けられた前記第１、第２の接続電極部が配置されている配置方向と交叉する方向に沿って、複数箇所に塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されている
ことを特徴とする、圧電デバイス。
【請求項６】  基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスであって、
前記導電性接着剤が、前記圧電振動片に設けられた前記第１、第２の接続電極部が配置されている配置方向と交叉する方向に沿って、引き延ばすようにして塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されている
ことを特徴とする、圧電デバイス。
【請求項７】  基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスを有する電子機器であって、
前記導電性接着剤が、前記圧電振動片に設けられた前記第１、第２の接続電極部が配置されている配置方向と交叉する方向に沿って、複数箇所に塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されている圧電デバイスにより、制御用のクロック信号を得るようにしたことを特徴とする、電子機器。
【請求項８】  基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスを有する電子機器であって、
前記導電性接着剤が、前記圧電振動片に設けられた前記第１、第２の接続電極部が配置されている配置方向と交叉する方向に沿って、引き延ばすようにして塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されている圧電デバイスにより、制御用のクロック信号を得るようにしたことを特徴とする、電子機器。
【手続補正３】
【補正対象書類名】明細書
【補正対象項目名】００１０
【補正方法】変更
【補正の内容】
【００１０】
【課題を解決するための手段】
本発明は、基板に設けられた電極部に対して、圧電振動片に設けられた第１、第２の接続電極部をそれぞれ導電性接着剤を介して接合する接合方法であって、前記導電性接着剤を、前記圧電振動片に設けられた前記第１、第２の接続電極部が配置されている配置方向と交叉する方向に沿って、複数箇所に塗布し、前記第１、第２の接続電極部に接続する前記導電性接着剤をそれぞれ、前記配置方向の長さをその交叉する方向の長さより短く形成し、前記導電性接着剤を介して、前記基板と前記圧電振動片とを接合することを特徴とする、圧電振動片の接合方法に関係する。
【手続補正４】
【補正対象書類名】明細書
【補正対象項目名】００１１
【補正方法】変更
【補正の内容】
【００１１】
「前記導電性接着剤を、前記圧電振動片に設けられた前記第１、第２の接続電極部が配置されている配置方向と交叉する方向に沿って、複数箇所に塗布し、前記第１、第２の接続電極部に接続する前記導電性接着剤をそれぞれ、前記配置方向の長さをその交叉する方向の長さより短く形成し、前記導電性接着剤を介して、前記基板と前記圧電振動片とを接合すること」によって、接合面積を増大させ、接合強度を確保する。導電性接着剤を複数箇所塗布する方向を圧電振動片の複数の接続電極が近接して配置される方向と交叉する方向とすることにより、導電性接着剤がはみ出して、隣接する電極どうしを短絡することを防止することができる。
【手続補正５】
【補正対象書類名】明細書
【補正対象項目名】００１２
【補正方法】変更
【補正の内容】
【００１２】
かくして、本発明によれば、パッケージ内に圧電振動片を収容する圧電デバイスの小型化を実現しつつ、電極部を短絡させずに、十分な接合強度を得られるように圧電振動片を絶縁材料でなる基体に接合する方法を提供することができる。
【手続補正６】
【補正対象書類名】明細書
【補正対象項目名】００１３
【補正方法】変更
【補正の内容】
【００１３】
本発明は、基板に設けられた電極部に対して、圧電振動片に設けられた第１、第２の接続電極部をそれぞれ導電性接着剤を介して接合する接合方法であって、前記導電性接着剤を、前記圧電振動片に設けられた前記第１、第２の接続電極部が配置されている配置方向と交叉する方向に沿って、引き延ばすようにして塗布し、前記第１、第２の接続電極部に接続する前記導電性接着剤をそれぞれ、前記配置方向の長さをその交叉する方向の長さより短く形成し、前記導電性接着剤を介して、前記基板と前記圧電振動片とを接合することを特徴とする、圧電振動片の接合方法に関係する。
【手続補正７】
【補正対象書類名】明細書
【補正対象項目名】００１４
【補正方法】変更
【補正の内容】
【００１４】
「前記導電性接着剤を、前記圧電振動片に設けられた前記第１、第２の接続電極部が配置されている配置方向と交叉する方向に沿って、引き延ばすようにして塗布し、前記第１、第２の接続電極部に接続する前記導電性接着剤をそれぞれ、前記配置方向の長さをその交叉する方向の長さより短く形成し、前記導電性接着剤を介して、前記基板と前記圧電振動片とを接合すること」によって、接合面積を増大させ、接合強度を確保する。導電性接着剤を引き延ばし塗布する方向を圧電振動片の複数の接続電極が近接して配置される方向と交叉する方向とすることにより、導電性接着剤がはみ出して、隣接する電極どうしを短絡することを防止することができる。
【手続補正８】
【補正対象書類名】明細書
【補正対象項目名】００１５
【補正方法】変更
【補正の内容】
【００１５】
本発明は、圧電振動片を収容するためのパッケージの基板に設けられた電極部に対して、導電性接着剤を塗布する塗布工程と、前記塗布された導電性接着剤に、前記圧電振動片に設けられた第１、第２の接続電極部を接合する接合工程と、前記パッケージを気密に封止する工程とを含んでおり、前記塗布工程においては、前記基板に設けられた各電極部に対して、前記導電性接着剤を、前記圧電振動片に設けられた前記第１、第２の接続電極部が配置されている配置方向と交叉する方向に沿って、複数箇所に塗布し、前記第１、第２の接続電極部に接続する前記導電性接着剤をそれぞれ、前記配置方向の長さをその交叉する方向の長さより短く形成することを特徴とする、圧電デバイスの製造方法に関係する。
【手続補正９】
【補正対象書類名】明細書
【補正対象項目名】００１６
【補正方法】変更
【補正の内容】
【００１６】
本発明は、圧電振動片を収容するためのパッケージの基板に設けられた電極部に対して、導電性接着剤を塗布する塗布工程と、前記塗布された導電性接着剤に、前記圧電振動片に設けられた第１、第２の接続電極部を接合する接合工程と、前記パッケージを気密に封止する工程とを含んでおり、前記塗布工程においては、前記基板に設けられた各電極部に対して、前記導電性接着剤を、前記圧電振動片に設けられた前記第１、第２の接続電極部が配置されている配置方向と交叉する方向に沿って、引き延ばすようにして塗布することを特徴とする、圧電デバイスの製造方法に関係する。
【手続補正１０】
【補正対象書類名】明細書
【補正対象項目名】００１７
【補正方法】変更
【補正の内容】
【００１７】
本発明は、絶縁材料で形成された基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスであって、
前記導電性接着剤が、前記圧電振動片に設けられた前記第１、第２の接続電極部が配置されている配置方向と交叉する方向に沿って、複数箇所に塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されていることを特徴とする、圧電デバイスに関係する。
【手続補正１１】
【補正対象書類名】明細書
【補正対象項目名】００１８
【補正方法】変更
【補正の内容】
【００１８】
本発明は、基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスであって、前記導電性接着剤が、前記圧電振動片に設けられた前記第１、第２の接続電極部が配置されている配置方向と交叉する方向に沿って、引き延ばすようにして塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されていることを特徴とする、圧電デバイスに関係する。
【手続補正１２】
【補正対象書類名】明細書
【補正対象項目名】００１９
【補正方法】変更
【補正の内容】
【００１９】
本発明は、基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスを有する電子機器であって、前記導電性接着剤が、前記圧電振動片に設けられた前記第１、第２の接続電極部が配置されている配置方向と交叉する方向に沿って、複数箇所に塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されている圧電デバイスにより、制御用のクロック信号を得るようにしたことを特徴とする、電子機器に関係する。
【手続補正１３】
【補正対象書類名】明細書
【補正対象項目名】００２０
【補正方法】変更
【補正の内容】
【００２０】
本発明は、基板に設けられた電極部に対して、圧電振動片に設けられた第１、第２の接続電極部をそれぞれ導電性接着剤を介して接合することにより、前記基板を含むパッケージに前記圧電振動片を収容するようにした圧電デバイスを有する電子機器であって、前記導電性接着剤が、前記圧電振動片に設けられた前記第１、第２の接続電極部が配置されている配置方向と交叉する方向に沿って、引き延ばすようにして塗布され、前記第１、第２の接続電極部に接続する前記導電性接着剤をそれぞれ、前記配置方向の長さがその交叉する方向の長さより短く形成されており、この導電性接着剤が硬化されることにより、前記圧電振動片が接合されている圧電デバイスにより、制御用のクロック信号を得るようにしたことを特徴とする、電子機器に関係する。